(57)【要約】  【課題】配線作業を行う時等、必要に応じて天板を移動させ得る天板付き家具において、簡単な操作で天板を移動させ、また天板を係止させるようにする。  【解決手段】移動可能な天板１２を有する天板付き家具たる机１に、少なくとも所定の使用位置と、前記使用位置から所定距離だけ離間した引き出し位置とのいずれかに選択的に係止し得るラッチ機構ＲＭを備える。  【選択図】図４
2004344632.tif 000002
【特許請求の範囲】
【請求項１】
移動可能な天板を、少なくとも所定の使用位置と、前記使用位置から所定距離だけ離間した引き出し位置とのいずれかに選択的に係止し得るラッチ機構を備えていることを特徴とする天板付き家具。
【請求項２】
天板と、前記天板又は天板と同一平面上にある面部の所定領域に設けられ、開閉可能であるとともに天板付き家具の側方空間と連通している開口とを少なくとも備え、該天板を移動させることにより前記開口を開閉させるようにしたものであって、前記天板を、少なくとも前記開口を閉止し得る位置であり、前記所定の使用位置たる使用位置と、前記使用位置から前方に所定距離だけ離間した引き出し位置とのいずれかに選択的に係止し得るラッチ機構を備えていることを特徴とする請求項１記載の天板付き家具。
【請求項３】
前記天板に、該天板の前記使用位置から前記引き出し位置へ向かう方向の移動を禁止する第１のラッチ爪と、前記第１のラッチ爪から前記使用位置から前記引き出し位置へ向かう方向又はその逆の方向に前記所定距離離間し、該天板の前記引き出し位置から前記使用位置へ向かう方向の移動を禁止する第２のラッチ爪とを備えているとともに、前記天板を支持する家具本体に、前記第１のラッチ爪と係合可能であるとともに天板の前記引き出し位置から前記使用位置へ向かう方向への移動を案内する機能を有する第１の係止穴と、前記第２のラッチ爪と係合可能であるとともに天板の前記使用位置から前記引き出し位置へ向かう方向への移動を案内する機能を有する第２の係止穴との組を前記使用位置から前記引き出し位置へ向かう方向に離間させて複数設けていることを特徴とする請求項１又は２記載の天板付き家具。
【請求項４】
前記天板を、前記使用位置と前記引き出し位置とに選択的に係止可能なものであって、前記ラッチ機構が、前記第１のラッチ爪と、前記第２のラッチ爪と、これらを接続する回転軸とを備えたラッチ装置を前記使用位置から前記引き出し位置へ向かう方向に所定距離離間させて１対設けているものであるとともに、前記使用位置と前記引き出し位置とにおいてそれぞれ異なるラッチ爪が作用するように構成していることを特徴とする請求項３記載の天板付き家具。
【請求項５】
前記第１及び第２のラッチ爪のうちいずれかに、前記家具本体に設けた前記係止穴に係合させた状態を解除する作用を有する解除レバーを接続していることを特徴とする請求項４記載の天板付き家具。
【請求項６】
前記天板に、該天板の前記使用位置から前記引き出し位置へ向かう方向への移動を禁止する第１のラッチ爪、該天板の前記引き出し位置から前記使用位置へ向かう方向への移動を禁止する第２のラッチ爪、及び外部からの操作力を受けて前記第１のラッチ爪及び第２のラッチ爪を駆動し該天板の移動を禁止している状態を解除する係合解除部を備えたラッチ装置と、前記ラッチ装置の係合解除部を機能させるよう促す操作部とを設けているともに、該天板を支持する家具本体に、前記第１のラッチ爪に密に係合する第１の被係合部と、前記第２のラッチ爪に密に係合する第２の被係合部とを設け、前記天板を係止する際に、前記第１のラッチ爪と第１の被係合部とが係合すると同時に前記第２のラッチ爪と第２の被係合部とが係合するように構成している請求項１又は２記載の天板付き家具。
【請求項７】
天板を家具本体に２箇所設けた係止位置に選択的に係止するために用いられるものであって、該天板のある一方向への移動を禁止する第１のラッチ爪と、前記第１のラッチ爪から前記一方向又はその逆の方向に所定距離離間し、該天板の前記一方向と逆の方向への移動を禁止する第２のラッチ爪と、これらを接続する回転軸とを備えたラッチ装置を前後に所定距離離間させて設けているものであるとともに、このラッチ装置が、一方の係止位置に係止する際と、他方の係止位置に係止する際とにおいてそれぞれ異なるラッチ爪を作用させるようにしていることを特徴とするラッチ機構。
【請求項８】
家具本体に対して相対移動可能な部材を複数箇所設けた係止位置に選択的に係止するために用いられるものであって、該部材に、一方向への該部材の移動を禁止する第１のラッチ爪、前記一方向と逆方向への該部材の移動を禁止する第２のラッチ爪、及び外部からの操作力を受けて前記第１のラッチ爪及び第２のラッチ爪を駆動し該部材の移動を禁止している状態を解除する係合解除部を備えたラッチ装置と、前記ラッチ装置の係合解除部を機能させるよう促す操作部とを設けているともに、家具本体に、前記第１のラッチ爪に密に係合する第１の被係合部と、前記第２のラッチ爪に密に係合する第２の被係合部とを設け、該部材を係止する際に、前記第１のラッチ爪と第１の被係合部とが係合すると同時に前記第２のラッチ爪と第２の被係合部とが係合するように構成しているラッチ機構。
【請求項９】
家具本体に対して相対移動可能な部材を複数箇所設けた係止位置に選択的に係止するために用いられるものであって、家具本体に、一方向への該部材の移動を禁止する第１のラッチ爪、前記一方向と逆方向への該部材の移動を禁止する第２のラッチ爪、及び外部からの操作力を受けて前記第１のラッチ爪及び第２のラッチ爪を駆動し該部材の移動を禁止している状態を解除する係合解除部を備えたラッチ装置と、前記ラッチ装置の係合解除部を機能させるよう促す操作部とを設けているともに、該部材に、前記第１のラッチ爪に密に係合する第１の被係合部と、前記第２のラッチ爪に密に係合する第２の被係合部とを設け、該部材を係止する際に、前記第１のラッチ爪と第１の被係合部とが係合すると同時に前記第２のラッチ爪と第２の被係合部とが係合するように構成しているラッチ機構。
【請求項１０】
前記操作部に対する同一の操作により、前記第１のラッチ爪と第１の被係合部との係合の解除と、前記第２のラッチ爪と第２の被係合部との係合の解除とを行うことができるように前記係合解除部を構成したラッチ装置を有することを特徴とする請求項８又は９記載のラッチ機構。
【発明の詳細な説明】
【技術分野】
【０００１】
本発明は、オフィス等で好適に利用され、天板を前後方向に移動可能な天板付き家具、及びこのような天板付き家具等に用いられ得るラッチ機構に関する。
【背景技術】
【０００２】
従来、天板の後下方に配線装置を具備するとともに、天板を前後にスライドする機構を有し、通常の使用態様においては前記配線装置を天板により隠蔽するとともに、配線作業を行う際等には天板を前方にスライドさせることにより前記配線装置を露出させることが可能な天板付き家具において、天板を通常の使用位置と、前記使用位置から所定距離だけ前方に引き出した引き出し位置とにロック可能にしているものが考えられている。このようなものの例として、天板の下面に被係合部を設けているとともに、机の脚体に前記被係合部に係合可能な係合部を２箇所に有するレバーを設け、前記被係合部を前記係合部のいずれかに選択的に係合させて前記使用位置又は前記引き出し位置たる前方の移動限度位置に天板をロック可能にしているとともに、前記レバーの操作によりロックを解除可能にしているものが挙げられる（例えば、特許文献１を参照）。なお、前記特許文献１では、前記使用位置は後方の移動限度位置、前記引き出し位置は前方の移動限度位置として述べられている。
【特許文献１】特開２００２−２８２０５５号
【発明の開示】
【発明が解決しようとする課題】
【０００３】
ところで、前記特許文献１では、前記被係合部として突子が設けられていて、前記係合部にこの突子を嵌め入れる構造が述べられている。すなわち、天板のロックは、前記係合部を有するレバーを操作して、前記係合部に前記被係合部が嵌め入れられた状態にすることにより、前記被係合部と前記係合部とを係合させて行うようにしている。また、天板のロックの解除は、前記レバーを操作して、前記被係合部と前記係合部との係合を解除することにより行うようにしている。
【０００４】
しかしながら、このような構成では、前記レバーに設けた前記係合部の前後方向位置と天板に設けた前記被係合部の前後方向位置とが完全に一致しない限り、これらを係合させて天板をロックすることができない。すなわち、天板をロックする前に前記係合部と前記被係合部との位置合わせを行う必要があり、位置合わせの後ロック操作が完了するまでの間、天板を前記引き出し位置から動かないようにしておく必要がある。これらのことから、天板のロック操作が面倒に感じられる不具合が発生し得る。さらに、レバーの操作の際にレバーに大きな力がかかると、前記係合部、前記被係合部、あるいは前記レバー自体が破損してしまい、天板のロックが不可能になってしまう不具合も起こり得る。
【０００５】
本発明は以上に述べた課題を解決し、天板を少なくとも使用位置と引き出し位置とにロック可能な天板付き家具において、天板のロック操作をより容易にすべく構成するものである。
【課題を解決するための手段】
【０００６】
すなわち、本発明に係る天板付き家具は、移動可能な天板を、少なくとも所定の使用位置と、前記使用位置から所定距離だけ離間した引き出し位置とのいずれかに選択的に係止し得るラッチ機構を備えていることを特徴とする。
【０００７】
このような構成のものであると、天板を移動させて、天板が使用位置又は引き出し位置に達した時点でラッチ機構が作用して天板のロックを行われるので、天板の使用位置へのロック、及び引き出し位置へのロックを、いずれも容易に行うことができるようになる。
【０００８】
なお、本明細書中でいうところの天板という概念とは、家具本体にスライド可能な状態に支持されているとともに、その上面に物品を載置可能な板体全てを指し、棚板等も含むものである。
【０００９】
このような天板付き家具の具体的な構成の一例として、天板と、前記天板又は天板と同一平面上にある面部の所定領域に設けられ、開閉可能であるとともに天板付き家具の側方空間と連通している開口とを少なくとも備え、該天板を移動させることにより前記開口を開閉させるようにしたものであって、前記天板を、少なくとも前記開口を閉止し得る位置であり、前記所定の使用位置たる使用位置と、前記使用位置から前方に所定距離だけ離間した引き出し位置とのいずれかに選択的に係止し得るラッチ機構を備えているものが挙げられる。このようなものであれば、例えば通常は天板を使用位置に係止しておくとともに、前記開口に電源ケーブルや情報ケーブルなどを収納する配線装置を設け、配線作業を行う際等、必要なときにのみ天板を引き出し位置に係止して作業を行うことができるようになる。
【００１０】
天板をより安定して係止できるようにするには、前記天板に、該天板の前記使用位置から前記引き出し位置へ向かう方向の移動を禁止する第１のラッチ爪と、前記第１のラッチ爪から前記使用位置から前記引き出し位置へ向かう方向又はその逆の方向に前記所定距離離間し、該天板の前記引き出し位置から前記使用位置へ向かう方向の移動を禁止する第２のラッチ爪とを備えているとともに、前記天板を支持する家具本体に、前記第１のラッチ爪と係合可能であるとともに天板の前記引き出し位置から前記使用位置へ向かう方向への移動を案内する機能を有する第１の係止穴と、前記第２のラッチ爪と係合可能であるとともに天板の前記使用位置から前記引き出し位置へ向かう方向への移動を案内する機能を有する第２の係止穴との組を前記引き出し位置から前記使用位置へ向かう方向に離間させて複数設けるとよい。このような構成であれば、前記第１の係止穴と前記第１のラッチ爪とを係合させて天板の前記使用位置から前記引き出し位置へ向かう方向への移動を禁止するようにすることと、前記第２の係止穴と前記第２のラッチ爪とを係合させて天板の前記引き出し位置から前記使用位置へ向かう方向への移動を禁止するようにすることを同時に行うことができるようになるからである。
【００１１】
特に、前記天板を、前記使用位置と前記引き出し位置とに選択的に係止可能なものであって、前記ラッチ機構が、前記第１のラッチ爪と、前記第２のラッチ爪と、これらを接続する回転軸とを備えたラッチ装置を前記使用位置から前記引き出し位置へ向かう方向に所定距離離間させて１対設けているものであるとともに、前記使用位置と前記引き出し位置とにおいてそれぞれ異なるラッチ爪が作用するように構成しているものであれば、同一のラッチ爪と係止穴との組の係合の解除により、使用位置から前方への移動、及び引き出し位置から後方への移動をともに解禁できるので、このようなラッチ機構の構成を簡単なものにできる。
【００１２】
前記第１及び第２のラッチ爪のうちいずれかに、前記家具本体に設けた前記係止穴に係合させた状態を解除する作用を有する解除レバーを接続しているものであれば、天板を移動させるべく前記係合状態を解除する機構を簡単な構成により設けることができるようになる。
【００１３】
また、天板を安定して係止するための他の構成として、前記天板に、前記使用位置から前記引き出し位置へ向かう方向への移動を禁止する第１のラッチ爪、該天板の前記引き出し位置から前記使用位置へ向かう方向への移動を禁止する第２のラッチ爪、及び外部からの操作力を受けて前記第１のラッチ爪及び第２のラッチ爪を駆動し該天板の移動を禁止している状態を解除する係合解除部を備えたラッチ装置と、前記ラッチ装置の係合解除部を機能させるよう促す操作部とを設けているともに、該天板を支持する家具本体に、前記第１のラッチ爪に係合する第１の被係合部と、前記第２のラッチ爪に密に係合する第２の被係合部とを設け、前記使用位置又は前記引き出し位置のいずれかに前記天板を係止する際に、前記第１のラッチ爪と第１の被係合部とが係合すると同時に前記第２のラッチ爪と第２の被係合部とが係合するように構成しているものが挙げられる。このように構成したものであれば、前記第１のラッチ爪と第１の被係合部とが密に係合すると同時に、前記第２のラッチ爪と第２の被係合部とが密に係合することにより、前記使用位置から前記引き出し位置へ向かう方向への移動及びその逆の方向への移動を略又は完全に禁止でき、従って該天板を略または完全にがたなく支持することができるようになる。
【００１４】
また、天板を家具本体に２箇所設けた係止位置に選択的に係止するために用いられるラッチ機構に好適に用いられる構成として、天板を家具本体に２箇所設けた係止位置に選択的に係止するために用いられるものであって、該天板のある一方向への移動を禁止する第１のラッチ爪と、該天板の前記一方向と逆の方向への移動を禁止する第２のラッチ爪と、これらを接続する回転軸とを備えたラッチ装置を前後に所定距離離間させて設けているものであるとともに、このラッチ装置が、一方の係止位置に係止する際と、他方の係止位置に係止する際とにおいてそれぞれ異なるラッチ爪を作用させるようにしているものが挙げられる。このようなものであれば、簡単な操作かつ簡単な構成により天板の前後動を禁止しつつ、この天板の前後動が禁止された状態の解除をも簡単に行うようにできる。なお、「該天板のある一方向への移動を禁止する第１のラッチ爪と、前記第１のラッチ爪から前記一方向又はその逆の方向に所定距離離間し、該天板の前記一方向と逆の方向への移動を禁止する第２のラッチ爪と、これらを接続する回転軸とを備えたラッチ装置を前後に所定距離離間させて設けている」とは、第１のラッチ爪と第２のラッチ爪とを回転軸で接続したラッチ装置を前後に所定距離離間させて設けることにより、一方のラッチ装置の第１のラッチ爪と他方のラッチ装置の第２のラッチ爪とを略所定距離離間させることを含む概念である。
【００１５】
さらに、より一般に家具本体に対して相対移動可能な部材を効果的にがたなく支持するためのラッチ機構の構成として、家具本体に対して相対移動可能な部材を複数箇所設けた係止位置に選択的に係止するために用いられるものであって、該部材に、一方向への該部材の移動を禁止する第１のラッチ爪、前記一方向と逆方向への該部材の移動を禁止する第２のラッチ爪、及び外部からの操作力を受けて前記第１のラッチ爪及び第２のラッチ爪を駆動し該部材の移動を禁止している状態を解除する係合解除部を備えたラッチ装置と、前記ラッチ装置の係合解除部を機能させるよう促す操作部とを設けているともに、家具本体に、前記第１のラッチ爪に密に係合する第１の被係合部と、前記第２のラッチ爪に密に係合する第２の被係合部とを設け、該部材を係止する際に、前記第１のラッチ爪と第１の被係合部とが係合すると同時に前記第２のラッチ爪と第２の被係合部とが係合するように構成しているものが挙げられる。
【００１６】
また、家具本体に対して相対移動可能な部材を効果的にがたなく支持するためのラッチ機構の他の構成として、家具本体に対して相対移動可能な部材を複数箇所設けた係止位置に選択的に係止するために用いられるものであって、家具本体に、一方向への該部材の移動を禁止する第１のラッチ爪、前記一方向と逆方向への該部材の移動を禁止する第２のラッチ爪、及び外部からの操作力を受けて前記第１のラッチ爪及び第２のラッチ爪を駆動し該部材の移動を禁止している状態を解除する係合解除部を備えたラッチ装置と、前記ラッチ装置の係合解除部を機能させるよう促す操作部とを設けているともに、該部材に、前記第１のラッチ爪に密に係合する第１の被係合部と、前記第２のラッチ爪に密に係合する第２の被係合部とを設け、該部材を係止する際に、前記第１のラッチ爪と第１の被係合部とが係合すると同時に前記第２のラッチ爪と第２の被係合部とが係合するように構成しているものが挙げられる。
【００１７】
さらに、前記部材の移動を禁止した状態を容易に解除するための構成として、前記第１のラッチ爪と第１の被係合部との係合の解除と、前記第２のラッチ爪と第２の被係合部との係合の解除とを、前記操作部に対する同一の操作により行うことができるように構成したラッチ装置を有するものが挙げられる。
【００１８】
なお、「前記第１のラッチ爪と第１の被係合部とが略または完全に密に係合すると同時に、前記第２のラッチ爪と第２の被係合部とが略または完全に密に係合する」とは、前記ラッチ装置を複数設ける場合において、いずれかのラッチ装置の第１のラッチ爪と前記第１の被係合部とが係合するとともに、他のラッチ装置の第２のラッチ爪と前記第２の被係合部とが係合する態様を含む概念である。
【００１９】
また、第１のラッチ爪と第１の被係合部とが、又は第２のラッチ爪と第２の被係合部とが「密に係合する」とは、これらが隙間なく、あるいは微小な隙間のみが形成された状態で係合することを含む概念である。
【発明の効果】
【００２０】
本発明は、以上説明したような構成で実施され以下に記載されるような効果を奏する。
【００２１】
すなわち、本発明は、ラッチ機構により、天板を、少なくとも所定の使用位置と、前記使用位置から所定距離だけ離間した引き出し位置とのいずれかに選択的に係止し得るので、天板を移動させて、天板が使用位置又は引き出し位置に達した時点で、ラッチ機構が作用して天板のロックが行われる。従って、天板の使用位置へのロック、及び引き出し位置へのロックを、いずれも容易に行うことができるようになる。
【発明を実施するための最良の形態】
【００２２】
以下、本発明の第一実施形態について図面を参照して説明する。
【００２３】
本実施形態では、天板付き家具が、正面図を図１、側面図を図２、平面図を図３にそれぞれ示すような、オフィスや家庭等でパソコン等を載せ置いて使用する机１である場合を例にとって説明する。
【００２４】
この机１は、左右１対の脚体１１と、この脚体１１により前後方向に移動可能に支持されている天板１２とを具備する。また、天板１２の後方には補強部１３が形成されているとともに、前記机１の後端部にはこの机１の背面を形成する幕板１４が設けられている。すなわち、前記脚体１１、補強部１３、及び幕板１４を少なくとも具備する家具本体である脚構造体に天板１２を支持させて構成している。
【００２５】
前記天板１２は、１枚の金属板を板金加工し、図３に示すように、側縁にエッジ材を取り付けているとともに、幅方向に延伸する横補強材１２ｘと、奥行き方向に延伸し、図示しない引き出しと係合して引き出しの移動方向を案内する引き出し取付部材１２ｙとを下面に取り付けている。また、天板１２は図２及び図３中の実線に示す使用位置と、前記使用位置から前方に所定距離だけ離間した位置であり、図２及び図３中の想像線に示す引き出し位置との間を移動可能である。具体的には、本実施形態では、その下面両側端部の後部に、天板１２の下面に当接する当接部と、当接部から略鉛直下方に屈曲して設けられ、その外側面に転動輪１２１ａを取り付けてなる取付部とを有する後取付部材１２１を取り付けていて、脚体１１に設けた第１レール機構１１１内に前記転動輪１２１ａを挿入し、前記転動輪１２１ａが前記第１レール機構１１１の内部を転動するようにしている。さらに、その下面両側端部の前部には、天板１２の下面に当接する当接部と、当接部から略鉛直下方に屈曲して設けられ、その外側面にボールサスペンションの可動部１２２ａを取り付けてなる取付部とを有する前取付部材１２２を取り付けていて、ボールサスペンションの固定部１１２を脚体１１の内側面に取り付けてなり、前記ボールサスペンションの可動部１２２ａがボールサスペンションの固定部１１２の内部を転動するようにしている。
【００２６】
また、この机１は、図２及び図３中の想像線に示すように、天板１２を前方へ移動した場合に反使用端１２ａ側に開口２を形成するものであり、その前後方向への移動動作を利用して開口２の開閉動作を行うようにしている。すなわち、前記開口２は、前記補強部１３の前縁部１３ａと前記天板１２の後縁部である反使用端１２ａとの間に形成されるようにしている。
【００２７】
このような構成の机１において、本実施形態では、図２に示すように、前記天板１２の反使用端１２ａ側に配線装置３を設けている。この配線装置３は、前記図２に示すように、配線装置本体４と、この配線装置本体４と前記机１との間に介在させた動作変換機構５とを具備し、この動作変換機構５により、前記開口２の開閉動作を前記配線装置本体４の上下方向への移動動作に変換し、前記開口２を閉止している場合に前記配線装置本体４を配線を設ける空間である配線挿通空間たる天板下空間Ｓに収納するとともに、前記開口２を開成させた場合に前記配線装置本体４を開口２に臨む位置に移動させるようにしている。また、両側の脚体１１の後上端部には、側開口１ｘを設け、この側開口１ｘを介して前記脚体１１間の空間を、これら脚体１１の外側方の空間と連通させている。
【００２８】
配線装置本体４は、その長手方向を前記天板１２の幅方向と略一致させて位置する断面略上向きコ字形の配線ダクト４１を主体として構成されており、この配線ダクト４１にコンセント等の配線具（図示略）を載せ置いたり、配線類を沿わせたりするようにしている。この配線装置本体４は、前記配線ダクト４１の下方に設けた板状をなす支持体４２を有しており、この支持体４２を介して前記動作変換機構５と関連付けてある。
【００２９】
さらに、本実施形態では、動作変換機構５は、前記天板１２の反使用端１２ａ側において、その左右端部に設けてある左右に対をなすもので、前記配線装置本体４を前記机１に対して上下方向に平行移動可能に案内する平行リンク６と、可撓性を有する部材により構成され、前記天板１２と前記配線装置本体４とを接続する接続部たるワイヤ７と、前記脚体１１の後上端近傍に設けられる定滑車８とを具備している。そして、この動作変換機構５は、前記開口２を開成すべく前記天板１２を前方に移動させる操作力を、前記配線装置本体４を前記開口２に臨む位置に上昇させる作用に変換する機能を有する。また、前記動作変換機構５は、前記開口２を閉止すべく前記天板１２に後方に移動させる操作力が加えられた際に、ワイヤ７を前記配線装置本体４に向けて押し込むことにより前記配線装置本体４を下降させて天板下空間Ｓに収納する機能をも有する。
【００３０】
しかして、天板１２の下面の両側端部には、ラッチ爪９１、９２を有するラッチ装置９を前後方向に所定距離だけ離間させて１対ずつ設けているとともに、図５に示すように、斜視図を脚体１１の上面には、前記ラッチ爪９１、９２と係合可能な係止穴１１ｘ、１１ｙ、１１ｚを設けていて、図１におけるａ−ａ断面の要部を拡大して示した図である図４の（ａ）に示すように、前記ラッチ爪９１、９２が最も後方に位置する後係止穴１１ｚ及び前後方向中間に位置する中係止穴１１ｙにそれぞれ係合している使用位置と、同図の（ｂ）に示すような前記ラッチ爪９１、９２が前後方向中間に位置する中係止穴１１ｙ及び最も前方に位置する前係止穴１１ｘにそれぞれ係合している引き出し位置に選択的に係止されるとともに、これらの間を移動可能に構成されている。すなわち、天板１２は、前記ラッチ装置９と、このラッチ装置９のラッチ爪と係合可能な係止穴１１ｘ、１１ｙ、１１ｚとからなるラッチ機構ＲＭにより、前記使用位置と前記引き出し位置とのいずれかに選択的に係止される。
【００３１】
さらに詳述すると、ラッチ装置９は、側面図を図６の（ａ）、底面図を同図の（ｂ）、分解斜視図を図７にそれぞれ示すように、第１のラッチ爪９１と、第２のラッチ爪９２と、係合解除部材９３と、これらを収納するカバー９４とを備えている。前記第１のラッチ爪９１及び第２のラッチ爪９２は、前記係合解除部材９３に備えた連結軸９３２を挿通させる軸挿通孔９１ａ、９２ａを一端部に設けている。第１のラッチ爪９１は前記軸挿通孔９１ａの前方において、第２のラッチ爪９２は前記軸挿通孔９２ａの後方において前記連結軸９３２を中心として回動するとともに、図示しないねじりコイルばねにより脚体１１に向かう方向、すなわち下方に向かう作用を受けている。そして、前記軸挿通孔９１ａ、９２ａと反対側の端部には、突部９１１、９２１を設けている。前記係合解除部材９３は、板状をなす本体９３１から、前記連結軸９３２と、解除レバー（図示略）を挿入する解除レバー挿入部９３３をそれぞれ前記本体と垂直かつ互いに逆方向に突出させて設けている。そして、両側の係合解除部材９３間に、解除レバー（図示略）を横架して設けている。また、カバー９４は、本実施形態では第１のカバー要素９４ａと、第２のカバー要素９４ｂとからなり、第２のカバー要素９４ｂに設けた突条９４ｂ１を第１のカバー要素９４ａに挿入して組み立てられる。そして、前記第１のラッチ爪９１は前端部に、また、前記第２のラッチ爪９２は後端部にそれぞれ起立壁を備えている。
【００３２】
一方、前記前係止穴１１ｘ及び前記後係止穴１１ｚは、後端部に起立壁をするとともにこの起立壁の下端から脚体１１の上面に向けて上昇する勾配を有する穴であり、前記第２のラッチ爪９２と係合可能に構成している。すなわち、前記前係止穴１１ｘ又は前記後係止穴１１ｚと前記第２のラッチ爪９２とが係合することにより、天板１２の後方への移動が禁止されるとともに、前記ラッチ爪９２を介して天板の前方への移動を案内する。また、前記中係止穴１１ｙは、前端部に起立壁をするとともにこの起立壁の下端からから脚体１１の上面に向けて上昇する勾配を有する穴であり、前記第１のラッチ爪９１と係合可能に構成している。すなわち、前記中係止穴１１ｙと前記第１のラッチ爪９１とが係合することにより、天板１２の前方への移動が禁止されるとともに、前記ラッチ爪９１を介して天板の後方への移動を案内する。また、前係止穴１１ｘと中係止穴１１ｙとの間、及び中係止穴１１ｙと後係止穴１１ｚとの間は、それぞれ略前記所定距離だけ離間させている。すなわち、前記中係止穴１１ｙは請求項中の第１の係止穴、前記前係止穴１１ｘ及び前記後係止穴１１ｚは請求項中の第２の係止穴としてそれぞれ機能する。
【００３３】
そして、前方に位置するラッチ装置９の第１のラッチ爪９１が前記中係止穴１１ｙに係合し、後方に位置するラッチ装置９の第２のラッチ爪９２が前記後係止穴１１ｚに係合して天板１２を前記使用位置に係止するようにしている。一方、前方に位置するラッチ装置９の第２のラッチ爪９２が前記前係止穴１１ｘに係合し、後方に位置するラッチ装置９の第１のラッチ爪９１が前記中係止穴１１ｙに係合して天板１２を前記引き出し位置に係止するようにしている。
【００３４】
天板１２を前記使用位置から前記引き出し位置に移動させるには、解除レバー（図示略）を所定の向きに回転させる。すると、前記係合解除部材９３が前方に位置するラッチ装置９の第１ラッチ爪９１の突部９１１を押し上げることにより、この第１ラッチ爪９１と前記中係止穴１１ｙとの係合が解除され、天板１２が前方に移動可能になる。ここで、天板１２を前方に移動させると、後方に位置するラッチ装置９の第２ラッチ爪９２と前記後係止穴１１ｚとの係合が解除される。この天板１２が引き出し位置に達した際には、前記ねじりコイルばね（図示略）の作用により、前方に位置するラッチ装置９の第２ラッチ爪９２が下方に突出して前係止穴１１ｘとが係合するとともに、後方に位置するラッチ装置９の第１ラッチ爪９１もまた下方に突出して中係止穴１１ｙと係合することにより、天板１２が引き出し位置に係止される。ここで、前方に位置するラッチ装置９では、第１ラッチ爪９１の突部９１１と前記係合解除部材９３とが協働して係合解除部として機能している。また、前記解除レバーは、この係合解除部を機能させるよう促す操作部として機能している。
【００３５】
一方、天板１２を前記引き出し位置から前記使用位置に移動させるには、解除レバーを前記所定の向きと逆に回転させる。すると、前記係合解除部材９３が前方に位置するラッチ装置９の第２ラッチ爪９２の突部９２１を押し上げることにより、前方に位置するラッチ装置９の第２ラッチ爪９２と前係止穴１１ｘとの係合が解除され、天板１２が後方に移動可能になる。ここで、天板１２を後方に移動させると、後方に位置するラッチ装置９の第１ラッチ爪９１と前記中係止穴１１ｙとの係合が解除される。この天板１２が使用位置に達した際には、前記ねじりコイルばね（図示略）の作用により、前方に位置するラッチ装置９の第１ラッチ爪９１が下方に突出して中係止穴１１ｙと係合するとともに、後方に位置するラッチ装置９の第２ラッチ爪９２もまた下方に突出して後係止穴１１ｚと係合することにより、天板１２が使用位置に係止される。
【００３６】
なお、上述した態様において、前方に位置するラッチ装置９では、ラッチ爪９１、９２の突部９１１、９２１と前記係合解除部材９３とが協働して係合解除部として機能している。また、前記解除レバーは、この係合解除部を機能させるよう促す操作部として機能している。一方、後方に位置するラッチ装置９では、ラッチ爪９１、９２がケース９４及び係合解除部材９３の連結軸９３２を介して前方に移動する操作力を受け、これらラッチ爪９１、９２が前記係止穴１１ｘ、１１ｙ、１１ｚの勾配を有する部分に案内され、前記係止穴１１ｘ、１１ｙ、１１ｚとの係合を解除する方向、すなわち上方に移動する。すなわち、ケース９４と、係合解除部材９３の連結軸９３２と、ラッチ爪９１、９２の前記係止穴前記係止穴１１ｘ、１１ｙ、１１ｚに当接する部分とが協働して係合解除部として機能している。
【００３７】
以上に述べたように、本実施形態に係る机１は、天板１２が、移動可能なものであり、天板１２と、前記天板１２又は天板１２と同一平面上にある面部の所定領域に設けられ、開閉可能な開口２とを少なくとも備え、該天板を移動させることにより前記開口を開閉させるようにしたものであって、前記天板１２を、少なくとも前記開口を閉止し得る使用位置と、前記閉止位置から前方に所定距離だけ離間した引き出し位置とのいずれかに選択的に係止し得るラッチ機構９を備えている。従って、天板１２を移動させて、天板１２が使用位置又は引き出し位置に達した時点でラッチ機構ＲＭが作用して天板１２のロックが行われるので、天板１２の使用位置へのロック、及び引き出し位置へのロックを、いずれも容易に行うことができるようになる。
【００３８】
また、本実施形態に係るラッチ機構ＲＭは、前記天板１２を支持する脚体１１に、前記前係止穴１１ｘ、中係止穴１１ｙ、及び後係止穴１１ｚを等間隔に離間させて設けることにより、前端部に天板面に鉛直に伸びる起立壁を有し、天板の後方への移動を案内する第１の係止穴と、前記第１の係止穴から前方又は後方に所定距離離間しているとともに後端部に天板面に鉛直に伸びる起立壁を有し、天板の前方への移動を案内する第２の係止穴との組を、前後方向に離間させて２組設けているとともに、前記天板１２に、前記第１の係止穴たる中係止穴１１ｙに係合可能な第１のラッチ爪９１と、前記第１のラッチ爪９１から前方又は後方に前記所定距離離間し、前記第２の係止穴たる前記前係止穴１１ｘ又は後係止穴１１ｚに係合可能な第２のラッチ爪９２とを備えている。従って、前記中係止穴１１ｙと前記第１のラッチ爪９１とを係合させて天板１２の前方への移動を禁止するようにすることと、前記前係止穴１１ｘ又は後係止穴１１ｚと前記第２のラッチ爪９２とを係合させて天板１２の後方への移動を禁止するようにすることを同時に行うことができるようになる。
【００３９】
特に、前記天板１２が、前記使用位置と前記引き出し位置とに選択的に係止可能なものであり、前記ラッチ機構ＲＭが、前記第１のラッチ爪９１と、前記第２のラッチ爪９２と、これらを同心に接続する回転軸９３２とを備えたラッチ装置９を前後に所定距離離間させて１対設けているものであるとともに、前記使用位置と前記引き出し位置とにおいてそれぞれ異なるラッチ爪９１、９２が作用するように構成しているので、前方に位置するラッチ装置９のラッチ爪９１、９２が中係止穴１１ｙ又は前係止穴１１ｘと係合している状態を解除することにより、後方に位置するラッチ装置９に対する操作を加えることなく、天板１２の使用位置から前方への移動、及び引き出し位置から後方への移動をともに解禁できる。すなわち、このようなラッチ機構ＲＭの構成を簡単なものにできる。
【００４０】
さらに、前記２つのラッチ爪９１、９２のいずれか１つを脚体１１に設けた前係止穴１１ｘ又は中係止穴１１ｙに係合させた状態を解除する作用を有する図示しない解除レバーをさらに備えているので、天板１２を移動させるべく前記係合状態を解除する機構を簡単な構成により設けることができる。
【００４１】
なお、この実施形態では、前方側に位置するラッチ装置のラッチ爪と係止穴との係合を解除することにより天板の係止状態を解除するようにしているが、単一の解除レバーにより前方側に位置するラッチ装置のラッチ爪と係止穴との係合状態、及び後方側に位置するラッチ装置のラッチ爪と係止穴との係合状態とを同時に解除可能に構成しても、簡単な操作により天板の係止状態を解除できる効果を得ることはできる。この場合、ラッチ装置には単一のラッチ爪を設け、このラッチ爪と係止穴との係合により天板の前方及び後方への移動を同時に禁止するようにしてもよい。
【００４２】
次に、本発明の第二実施形態について図面を参照して説明する。
【００４３】
本実施形態に係る家具である机Ａ１は、正面図を図８、側面図を図９にそれぞれ示すように、家具本体である脚構造体Ａ１１と、この脚構造体Ａ１１に使用位置と引き出し位置との間でスライド移動可能に支持される天板Ａ１２と、配線装置Ａ３と、動作変換機構Ａ４と、配線挿通空間ＳＳとを具備する。
【００４４】
前記脚構造体Ａ１１は、左右１対に設けられ、天板Ａ１２の側端部をそれぞれ支持する脚体Ａ１３と、前記天板Ａ１２の後方に形成される補強部Ａ１４と、後端部に位置し、この机Ａ１の背面を形成する幕板Ａ１５とを具備する。
【００４５】
前記天板Ａ１２は、第一実施形態における天板１２と略同様に構成されている。また、本実施形態では、その下面両側端部に、天板Ａ１２の下面に当接する当接部と、当接部から略鉛直下方に屈曲して設けられる取付部とを有する取付部材Ａ１６を取り付けている。この取付部材Ａ１６と前記脚体Ａ１３との間には、図示はしないがボールサスペンションを形成していて、このボールサスペンションにより天板Ａ１２を前後方向にスライド移動可能に案内するようにしている。
【００４６】
また、この机Ａ１は、図９中の想像線に示すように、天板Ａ１２を前記使用位置から引き出し位置へ移動させることにより天板Ａ１２の上方側と下方側とを連通させる開口Ａ２を反使用端Ａ１２ａ側に形成するものであり、前記天板Ａ１２の前後方向へのスライド移動動作を利用して開口Ａ２の開閉動作を行うようにしている。すなわち、前記開口Ａ２は、前記天板Ａ１２を使用位置から引き出し位置に移動させた場合に、前記補強部Ａ１４の前縁部Ａ１４ａと前記天板Ａ１２の後縁部である反使用端Ａ１２ａとの間に形成されるようにしている。なお、天板Ａ１２を前記使用位置に位置させた状態の前記図８におけるａ−ａ断面のこの開口Ａ２が形成される部位付近を拡大して示した図を図１０、天板Ａ１２を前記引き出し位置に位置させた状態の前記図１０に対応する図を図１１に示す。また、前記図１１には、前記使用位置に位置する天板Ａ１２を想像線により示している。
【００４７】
両側の脚体Ａ１３の後上端部には、前記図９、図１０及び図１１に示すように、配線挿通口Ａ１３ｘを設け、この配線挿通口Ａ１３ｘを介して、前記配線挿通空間ＳＳを、その外側方の空間と連通させている。また、前記開口Ａ２が形成された際には、この開口Ａ２と前記配線挿通口Ａ１３ｘとが連通するようにしている。
【００４８】
しかして、本実施形態では、天板Ａ１２と脚体Ａ１３との係合の態様を示す概略図である図１５に示すように、天板Ａ１２の下面の両側端部の奥行き方向所定位置には、第１のラッチ爪Ａ９１と第２のラッチ爪Ａ９２とをそれぞれ有し、側面図を図１２、底面図を図１３、分解斜視図を図１４に示すような前ラッチ装置Ａ９を１対設けているとともに、第１のラッチ爪Ａ９１と第２のラッチ爪Ａ９２とをそれぞれ有する後ラッチ装置Ａ９０を前記前ラッチ装置Ａ９から後方に所定距離離間させて両側端部に１対設けている。脚体Ａ１３の上面には、前記第１のラッチ爪Ａ９１と密に係合可能な第１の被係合部及び第２のラッチ爪Ａ９２と密に係合可能な第２の被係合部を有する前係止穴Ａ１３ａと、この前係止穴Ａ１３ａから後方に所定距離離間し、前記第１のラッチ爪Ａ９１と密に係合可能な第１の被係合部を有する中係止穴Ａ１３ｂと、この中係止穴Ａ１３ｂから後方に所定距離離間し、前記第２のラッチ爪Ａ９２と密に係合可能な第２の被係合部を有する後係止穴Ａ１３ｃとを設けている。なお、前記図１５において、天板Ａ１２を前記使用位置に係止している状態を（ａ）、天板Ａ１２が前記引き出し位置に係止している状態を（ｂ）にそれぞれ示している。
【００４９】
具体的には、前記前ラッチ装置Ａ９は、前記図１２〜図１４に示すように、第１のラッチ爪Ａ９１と、第２のラッチ爪Ａ９２と、これら第１及び第２のラッチ爪Ａ９１、Ａ９２を収納するケースＡ９４と、これら第１及び第２のラッチ爪Ａ９１、Ａ９２をケースＡ９４に枢着する軸部材Ａ９３と、外部からの操作力を受けて前記第１のラッチ爪Ａ９１及び第２のラッチ爪Ａ９２を駆動し天板Ａ１２の移動を禁止している状態を解除する係合解除部Ａ９５とを有する。
【００５０】
前記第１のラッチ爪Ａ９１は、略扇形に形成していて、前記軸部材Ａ９３を挿通させる軸挿通孔Ａ９１ａを後端部に設けているとともに、この軸挿通孔Ａ９１ａの中心を扇形の円弧の中心としている。また、前記扇形の円弧の部分に第１当接面Ａ９１ｂ、前記第１当接面の下端と前記軸挿通孔９１ａとを結ぶ半径の部分に第２当接面Ａ９１ｃを形成している。そして、前記軸挿通孔Ａ９１ａと反対側の端部には、突部Ａ９１１を設けている。一方、第２のラッチ爪Ａ９２は、奥行き方向中央部に軸挿通孔Ａ９２ａを設けていて、軸挿通孔Ａ９２ａの後方に略扇形をなす爪部Ａ９２１を形成しているとともに、軸挿通孔Ａ９２ａの前方には被駆動部Ａ９２２を形成している。また、爪部Ａ９２１には、前記扇形の円弧の部分に第１当接面Ａ９２ｂ、前記第１当接面の下端と前記軸挿通孔９１ａとを結ぶ半径の部分に第２当接面Ａ９２ｃを形成している。そして、これら第１のラッチ爪Ａ９１及び第２のラッチ爪Ａ９２は、図示しない係合付勢手段たるねじりコイルばねにより脚体Ａ１３に係合する方向、すなわち下方に向かう作用を受けている。そして、その下方に前係止穴Ａ１３ａ又は中係止穴Ａ１３ｂがあればこれと係合する。すなわち、前記前係止穴Ａ１３ａは、前記第１のラッチ爪Ａ９１の第１当接面Ａ９１ｂに当接する第１起立面Ａ１３ａ１と、前記第１のラッチ爪Ａ９１の第２当接面Ａ９２ｂに当接する第１傾斜面とＡ１３ａ２、前記第２のラッチ爪Ａ９２の第１当接面Ａ９２ｂに当接する第２起立面Ａ１３ａ３と、前記第２のラッチ爪Ａ９２の第２当接面Ａ９２ｃに当接する第２傾斜面Ａ１３ａ４とを有する。一方、中係止穴Ａ１３ｂは、前記第１のラッチ爪Ａ９１の第１当接面Ａ９１ｂに当接する起立面Ａ１３ｂ１と、前記第１のラッチ爪Ａ９１の第２当接面Ａ９１ｃに当接する傾斜面Ａ１３ｂ２とを有する。
【００５１】
前記軸部材Ａ９３は、板状をなし、前記第１のラッチ爪Ａ９１の突部Ａ９１１に当接する当たり板部Ａ９３１と、前記第１のラッチ爪Ａ９１及び第２のラッチ爪Ａ９２に挿通する連結軸Ａ９３２と、後述する操作部Ａ９９に接続する接続部Ａ９３３とを有する。また、カバーＡ９４は、本実施形態では第１のカバー要素Ａ９４ａと、第２のカバー要素Ａ９４ｂとからなり、第２のカバー要素Ａ９４ｂに設けた突条Ａ９４ｂ１を第１のカバー要素Ａ９４ａに挿入して組み立てられる。
【００５２】
前記係合解除部Ａ９５は、外部からの操作力を受けて第１のラッチ爪Ａ９１を駆動する第１駆動部と、前記第２のラッチ爪Ａ９２を前記第１のラッチ爪Ａ９１と連動して駆動させる第２駆動部とを有する。ここで、前記図１２中において、この係合解除部Ａ９５が作動していない状態を（ａ）、この係合解除部Ａ９５が作動している状態を（ｂ）に示している。前記第１駆動部は、前記軸部材Ａ９３の当たり板部Ａ９３１と、この当たり板部Ａ９３１に当接する前記第１のラッチ爪Ａ９１の突部Ａ９１１とを用いて構成している。一方、前記第２駆動部は、前記第１のラッチ爪Ａ９１の突部に当接する第１アームＡ９６１及び前記第２のラッチ爪Ａ９２に設けた被駆動部Ａ９２２に当接する第２アームＡ９６２とを同一の軸部Ａ９６３から突出させて設けている押圧アームＡ９６と、前記第１のラッチ爪Ａ９１の突部Ａ９１１と、前記第２のラッチ爪Ａ９２に設けた被駆動部Ａ９２２とを用いて構成している。そして、前記第１のラッチ爪Ａ９１には、この押圧アームＡ９６と干渉しないようにすべく切り欠きＡ９１ｘを設けている。また、前記押圧アームＡ９６は、軸部Ａ９６３をケースＡ９４の所定位置に回動可能に支持させている。
【００５３】
一方、後ラッチ装置Ａ９０は、第１のラッチ爪Ａ９１と、第２のラッチ爪Ａ９２と、これら第１及び第２のラッチ爪Ａ９１、Ａ９２を収納するケースＡ９４と、これら第１及び第２のラッチ爪Ａ９１、Ａ９２をケースＡ９４に枢着する軸部材Ａ９３と、外部からの操作力を受けて前記第１のラッチ爪Ａ９１及び第２のラッチ爪Ａ９２を駆動し該天板の移動を禁止している状態を解除する係合解除部とを有する。第１のラッチ爪Ａ９１、第２のラッチ爪Ａ９２、ケースＡ９４、及び軸部材Ａ９３は、前記前ラッチ装置Ａ９におけるものと同一の構成を有する。また、これも前ラッチ装置Ａ９と同様に、前記第１のラッチ爪Ａ９１及び第２のラッチ爪Ａ９２は、図示しない係合付勢手段たるねじりコイルばねにより脚体Ａ１３に係合する方向、すなわち下方に向かう作用を受けている。そして、その下方に中係止穴Ａ１３ｂ又は後係止穴Ａ１３ｃがあればこれと係合する。すなわち、後係止穴Ａ１３ｃは、前記第２のラッチ爪Ａ９２の第１当接面Ａ９２ｂに当接する起立面Ａ１３ｃ１と、前記第２のラッチ爪Ａ９２の第２当接面Ａ９２ｃに当接する傾斜面Ａ１３ｃ２とを有する。
【００５４】
係合解除部は、前記前ラッチ装置Ａ９におけるものと異なり、以下に述べるようにケースＡ９４、軸部材Ａ９３、及び第１のラッチ爪Ａ９１又は第２のラッチ爪Ａ９２を協働させて構成している。すなわち、ケースＡ９４及び軸部材Ａ９３を介して第１のラッチ爪Ａ９１が天板Ａ１２を移動させる操作力を受けると、この第１のラッチ爪Ａ９１の第２当接面Ａ９１ｂが中係止穴Ａ１３ｂの傾斜面Ａ１３ｂ２に案内されて上方に移動することにより、前記第１のラッチ爪Ａ９１と中係止穴Ａ１３ｂとの係合を解除するようにしている。また、第２のラッチ爪Ａ９２がケースＡ９４及び軸部材Ａ９３を介して天板Ａ１２を移動させる操作力を受けると、この第２のラッチ爪Ａ９２の第２当接面Ａ９２ｃが後係止穴Ａ１３ｃの傾斜面Ａ１３ｃ２に案内されて上方に移動することにより、前記第２のラッチ爪９２と後係止穴１３ｃとの係合を解除するようにしている。
【００５５】
そして、図１５に前記ラッチ装置Ａ９、Ａ９０と係止穴Ａ１３ａ〜Ａ１３ｃとの係合の概略を示す。この図１５において、（ａ）は天板Ａ２を使用位置に係止した状態、（ｂ）は引き出し位置に係止した状態を示す。天板Ａ１２が前記使用位置に係止されている場合には、前ラッチ装置Ａ９の第１のラッチ爪Ａ９１と前記中係止穴Ａ１３ｂとが略密に係合しているとともに、後ラッチ装置Ａ９０の第２のラッチ爪Ａ９２と前記後係止穴Ａ１３ｃとが略密に係合している。一方、天板Ａ１２が前記引き出し位置に係止されている場合には、前記前ラッチ装置Ａ９の第１のラッチ爪Ａ９１及び第２のラッチ爪Ａ９２と前係止穴Ａ１３ａとが略密に係合しているとともに、前記後ラッチ装置Ａ９０の第１のラッチ爪Ａ９１と前記中係止穴Ａ１３ｂとが略密に係合している。
【００５６】
さらに、この天板Ａ１２には、前記ラッチ装置Ａ９の係合解除部を機能させるよう促す操作部Ａ９９を設けている。この操作部Ａ９９は、図１５に示すように、天板Ａ１２の所定位置、一例として下面の使用端縁近傍に設けられるつまみＡ９９１と、前記前ラッチ装置Ａ９側に取り付けられるリンク板Ａ９９３と、前記つまみＡ９９１と前記リンク板Ａ９９３とを接続するリンク機構Ａ９９２とを有し、つまみＡ９９１を図１５の矢印方向に操作するとリンク機構Ａ９９２及びリンク板Ａ９９３もまた図１５の矢印方向に移動し、前ラッチ装置Ａ９の係合解除部Ａ９５を直接作動させるようにしている。また、前ラッチ装置Ａ９の係合解除部Ａ９５を作動させてから天板Ａ１２に使用位置から引き出し位置へ、または引き出し位置から使用位置へ移動させる操作力を加えることにより、上述したように後ラッチ装置Ａ９０の係合解除部を作動させることができるようにしている。そして、以上前ラッチ装置Ａ９、後ラッチ装置Ａ９０、操作部Ａ９９、及び係止穴Ａ１３ａ〜Ａ１３ｃが協働して、図１５に示すような天板Ａ１２を係止するラッチ機構ＲＭ２として機能するようにしている。
【００５７】
すなわち、前記天板Ａ１２は、使用位置と、引き出し位置とにラッチ機構ＲＭ２により選択的に係止されるとともに、これらの間をスライド移動可能に構成されている。
【００５８】
このような構成の机Ａ１において、本実施形態では、前記図９、図１０、及び図１１に示すように、配線装置Ａ３を前記天板Ａ１２の反使用端Ａ１２ａ側に設けている。この配線装置Ａ３は、前記図９、図１０、及び図１１に示すように、その長手方向を前記天板Ａ１２の幅方向と略一致させて位置する断面略上向きコの字形の配線ダクトＡ３１を主体として構成されており、この配線ダクトＡ３１にコンセント等の配線具（図示略）を載せ置いたり、配線類を沿わせたりするようにしている。
【００５９】
前記動作変換機構Ａ４は、天板Ａ１２の移動に伴う前記開口Ａ２の開閉動作を前記配線装置Ａ３の昇降動作に変換し、前記天板Ａ１２を使用位置から引き出し位置へ移動させて前記開口Ａ２を開成させる際に前記配線装置Ａ３を開口Ａ２に臨む位置に移動させるようにしているとともに、前記天板Ａ１２を引き出し位置から使用位置へ移動させて前記開口Ａ２を閉止させる際に前記配線装置Ａ３を配線挿通空間ＳＳに収納するようにしている。この動作変換機構Ａ４は、前記配線ダクトＡ３１の下方に設けられた支持体Ａ３２を介して前記配線装置Ａ３と関連付けられている。そして、前記開口Ａ２が形成される位置と前記配線装置との間に、前記配線挿通空間ＳＳを形成している。
【００６０】
また、本実施形態では、動作変換機構Ａ４は、前記天板Ａ１２の反使用端Ａ１２ａ側において、その左右端部に設けてある左右に対をなすもので、第１リンクメンバＡ４１と第２リンクメンバＡ４２とを備えている。
【００６１】
前記第１リンクメンバＡ４１は、前記脚構造体Ａ１１の所定位置、具体的には前記脚体Ａ１３の所定位置に設定した支点Ａ４ａと前記配線装置Ａ３に設けられる第１の作用点Ａ４ｂとを接続する第１アームＡ４１１と、この第１アームＡ４１１の第１の作用点Ａ４ｂ側の端部から、前記支点Ａ４ａを中心としこの支点Ａ４ａと第１の作用点Ａ４ｂとの距離を半径とする円弧に沿う形状に突出して設けられる第２アームＡ４１２とを有する。
【００６２】
一方、前記第２リンクメンバＡ４２は、一端部を前記第１リンクメンバＡ４１の第２アームＡ４１２の突出端に接続し、他端部を天板Ａ１２側、具体的には前記取付部材Ａ１６に設けられ前記配線挿通空間ＳＳ外に位置する第２の作用点Ａ４ｃに接続している。
【００６３】
さらに、前記第１リンクメンバＡ４１の第１アームＡ４１１と平行に延伸する第３リンクメンバＡ４３を設けていて、前記第１アームＡ４１１と前記第３リンクメンバＡ４３とにより平行リンクＡ４４を形成している。前記第３リンクメンバＡ４３は、具体的には前記支点Ａ４ａから下方に所定距離離間した第２支点Ａ４ｘと、前記第１の作用点Ａ４ｂから下方に所定距離離間した第３作用点Ａ４ｙとを接続する略棒状をなす部材で、この第３リンクメンバＡ４３と前記第１アームＡ４１１とが協働して配線装置Ａ３の移動の際にその姿勢を保持させている。
【００６４】
また、本実施形態では、前記第１リンクメンバ４１の支点４ａと、前記第３リンクメンバの第２支点４ｘとは、想像線により示すリンクカバー４５により保護されている。このリンクカバー４５は、天板１２の下方に図示しないワゴンを配置する際、このワゴンの後面に当接してワゴンの前後方向の位置決めを行う機能をも有する。
【００６５】
次に、前記動作変換機構Ａ４を介して前記天板Ａ１２を前後方向に移動させるとともに前記配線装置本体Ａ３を上下方向に移動させる場合の動作について前記図９、図１０、図１１、及び図１５を利用して説明する。
【００６６】
まず、天板Ａ１２を前記使用位置に係止した状態では、前記図９及び図１０に示すように、前記開口Ａ２は、閉止しており、前記配線装置Ａ３は、配線挿通空間ＳＳに収納され外部から隠蔽されている。
【００６７】
このような状態からコンセント等の配線具（図示略）を前記開口Ａ２に臨む位置に上昇させて配線作業等を行う場合には、まず、操作部Ａ９９のつまみＡ９９１を前方へ引く。すると、前ラッチ装置Ａ９の係合解除部Ａ９５が機能する。具体的には、操作部Ａ９９のリンク機構Ａ９９２及びリンク板Ａ９９３を介して前ラッチ装置Ａ９の軸部材Ａ９３に回転力が与えられ、この軸部材Ａ９３の当たり板部Ａ９３１が第１のラッチ爪Ａ９１の突部Ａ９１１を上方に押圧して、前記第１のラッチ爪Ａ９１と中係止穴Ａ１３ｂとの係合が解除される。このとき、前記天板Ａ１２を前方へ引く操作力を加えると、後ラッチ装置Ａ９０の係合解除部が機能する。すなわち、第２のラッチ爪Ａ９２が前記後係止穴Ａ１３ｃの傾斜面Ａ１３ｃ２に案内されて上方に退避することによりこれら第２のラッチ爪Ａ９２と前記後係止穴Ａ１３ｃとの係合が解除され、この天板Ａ１２の前方への移動が可能になる。そして、天板Ａ１２を引き出し位置まで移動させると、前記ねじりコイルばねの作用により前記中係止穴Ａ１３ｂと後ラッチ装置Ａ９０の第１のラッチ爪Ａ９１とが係合するとともに、前ラッチ要素Ａ９の第１及び第２のラッチ爪Ａ９１、Ａ９２が前係止穴Ａ１３ａと係合する。すると、図９の想像線及び図１１の実線に示すように、開口Ａ２が開成し、前記配線装置Ａ３は前記動作変換機構Ａ４を介して前記開口Ａ２に臨む位置まで上昇する。具体的には、前記天板Ａ１２の前方への移動動作に伴って、前記天板Ａ１２を前方へ移動させる操作力が、前記第２の作用点Ａ４ｃから第２リンクメンバＡ４２に伝わり、さらに第１リンクメンバＡ４１の第２アームＡ４１２を前上方に引き上げる作用に変換される。そして、前記第１リンクメンバＡ４１が支点Ａ４ａを中心として回転し、前記配線装置Ａ３が図１１で示すような前記開口Ａ２に臨む位置に上昇する。そして、この位置で配線具（図示略）の差込口にプラグを差し込み、また配線装置Ａ３に配線を収納して必要に応じて配線挿通口Ａ１３ｘから机Ａ１外側方の空間に該配線を延出させる等の配線作業を行う。なお、この配線装置Ａ３は、前記天板Ａ１２と動作変換機構Ａ４を介して接続されているので、前記天板Ａ１２が引き出し位置に係止されている際には、この配線装置Ａ３は図１１の実線に示すような前記開口Ａ２に臨む位置にとどまる。
【００６８】
一方、配線作業後、前記配線装置Ａ３を配線挿通空間ＳＳに収納する場合には、まず、操作部Ａ９９のつまみＡ９９１を前方へ引く。すると、前ラッチ装置Ａ９の係合解除部Ａ９５が機能する。具体的には、操作部Ａ９９のリンク機構Ａ９９２及びリンク板Ａ９９３を介して前ラッチ装置Ａ９の軸部材Ａ９３に回転力が与えられ、この軸部材Ａ９３の当たり板部Ａ９３１が前ラッチ装置Ａ９の第１のラッチ爪Ａ９１の突部Ａ９１１を上方に押圧して、前記第１のラッチ爪Ａ９１と前記前係止穴Ａ１３ａとの係合が解除される。さらに、前記第１のラッチ爪Ａ９１の突部Ａ９１１により押圧レバーＡ９６の第１アームＡ９６１が押圧され、これと連動して押圧レバーＡ９６の第２アームＡ９６２が第２のラッチ爪Ａ９２の被駆動部９２２を下方に押圧して爪部９２１を上動させることで前記第２のラッチ爪Ａ９２と前記前係止穴Ａ１３ａとの係合が解除される。このとき、前記天板Ａ１２を後方に押す操作力を加えると、後ラッチ装置Ａ９０の係合解除部が作動する。すなわち、第１のラッチ爪Ａ９１が前記中係止穴Ａ１３ｂの傾斜面Ａ１３ｂ２に案内されて上方に退避することによりこれら第１のラッチ爪Ａ９１と前記中係止穴Ａ１３ｂとの係合が解除され、この天板Ａ１２は後方への移動が可能になる。そして、天板Ａ１２を使用位置まで移動させると、前記ねじりコイルばねの作用により前記後係止穴Ａ１３ｃと後ラッチ装置Ａ９０の第２のラッチ爪Ａ９２とが係合するとともに、前ラッチ装置Ａ９の第１のラッチ爪Ａ９１が中係止穴Ａ１３ｂと係合する。すると、前記開口Ａ２が閉止するとともに、前記配線装置Ａ３は、前記動作変換機構Ａ４を介して前記開口Ａ２の下方の収納位置へと下降する。具体的には、前記天板Ａ１２の後方への移動動作に伴って、前記第２リンクメンバＡ４２が押し込まれ、それにつれて前記第１リンクメンバＡ４１が配線装置Ａ３の荷重を受けて該配線装置Ａ３を収納位置に向けて下降させるべく回動する。そして、配線装置Ａ３は、前記配線収納位置へ下降し、外部から隠蔽される。
【００６９】
なお、本実施形態では、配線挿通口Ａ１３ｘの縁部に、カバー体Ａ１３ｙを設けていて、このカバー体Ａ１３ｙを脚体Ａ１３の内面よりも内方に延伸している。さらに、このカバー体Ａ１３ｙの延伸端部は下方に突出させている。そして、前記第１リンクメンバＡ４１はこのカバー体Ａ１３ｙの延伸端の外方を移動するようにし、配線と前記第１リンクメンバＡ４１との干渉を防ぐようにしている。
【００７０】
本実施形態においては、以上に述べたように構成しているので、上述した第一実施形態における効果に加えて、操作部Ａ９９のつまみＡ９９１を手前に引く同一の操作により前ラッチ装置Ａ９の第１のラッチ爪Ａ９１及び第２のラッチ爪Ａ９２と、これらラッチ爪に係合する係止穴との係合を解除でき、天板Ａ１２を移動させるべく前記係合を解除する操作を簡単に行うことができる効果を得ることができる。
【００７１】
なお、本発明における構成は、以上説明したものに限定されないのは勿論である。例えば、配線装置が移動可能でない天板付き家具の天板を上述したように構成してもよい。
【００７２】
また、天板を前後に移動させて開口を開閉するようなものに限らず、左右方向や斜め方向に移動可能な天板、及びこのような天板を支持する家具本体に上述したものと同様なラッチ機構を設け、複数箇所のいずれかに選択的に係止可能に構成してもよい。
【００７３】
加えて、上述したようなラッチ機構は、天板付き家具の天板と家具本体との間だけでなく、家具本体と家具本体に対して相対移動可能な部材との間全般に適用してよい。例えば、引き出しを家具本体に対してスライド移動可能に設けている家具の引き出しと家具本体との間に上述したようなラッチ機構を設けてもよい。
【００７４】
そして、上述した実施形態では、いずれも家具本体に対して相対移動可能な部材側、すなわち天板側にラッチ装置及び操作部を設け、家具本体側に被係合部たる係止穴を設けているが、逆に家具本体側にラッチ装置及び操作部を設け、家具本体に対して相対移動可能な部材側に被係合部たる係止穴を設けるようにしてもよい。
【００７５】
その他の構成も本発明の趣旨を逸脱しない範囲で種々変形が可能である。
【図面の簡単な説明】
【００７６】
【図１】本発明の第一実施形態に係る天板付き家具の正面図。
【図２】同実施形態に係る天板付き家具の側面図。
【図３】同実施形態に係る天板付き家具の平面図。
【図４】図１におけるａ−ａ断面の要部の拡大図。
【図５】同実施形態に係る天板付き家具の脚体の前端部を示す斜視図。
【図６】同実施形態に係るラッチ装置の側面図及び底面図。
【図７】同実施形態に係るラッチ装置の分解斜視図。
【図８】本発明の第二実施形態に係る天板付き家具の正面図。
【図９】同実施形態に係る天板付き家具の側面図。
【図１０】図８におけるａ−ａ断面の要部の拡大図。
【図１１】天板を引き出し位置に係止した状態における図８に対応する図。
【図１２】同実施形態に係るラッチ装置の側面図。
【図１３】同実施形態に係るラッチ装置の底面図。
【図１４】同実施形態に係るラッチ装置の分解斜視図。
【図１５】同実施形態に係る天板のラッチ装置と係止穴との係合の状態を示す概略図。
【符号の説明】
【００７７】
１、Ａ１…天板付き家具（机）
１１…脚体（家具本体）
Ａ１３…脚構造体（家具本体）
１１ｘ…前係止穴（第１の係止穴）
１１ｙ…中係止穴（第２の係止穴）
１１ｚ…後係止穴（第１の係止穴）
Ａ１３ａ…前係止穴（第１及び第２の係止部）
Ａ１３ｂ…前係止穴（第１の係止部）
Ａ１３ｃ…前係止穴（第２の係止部）
１２、Ａ１２…天板
２、Ａ２…開口
９…ラッチ装置
Ａ９…前ラッチ装置
Ａ９０…後ラッチ装置
９１、Ａ９１…第１のラッチ爪
９２、Ａ９２…第２のラッチ爪
ＲＭ、ＲＭ２…ラッチ機構
【図１】
2004344632.tif 000003
【図２】
2004344632.tif 000004
【図３】
2004344632.tif 000005
【図４】
2004344632.tif 000006
【図５】
2004344632.tif 000007
【図６】
2004344632.tif 000008
【図７】
2004344632.tif 000009
【図８】
2004344632.tif 000010
【図９】
2004344632.tif 000011
【図１０】
2004344632.tif 000012
【図１１】
2004344632.tif 000013
【図１２】
2004344632.tif 000014
【図１３】
2004344632.tif 000015
【図１４】
2004344632.tif 000016
【図１５】
2004344632.tif 000017